(57)【要約】【課題】大面積の居室を適切に区分しつつ空間の連続性や開放感を得ることが可能な住宅を提供する。【解決手段】居室内に設けられた第１棚部（１４）と、第１棚部（１４）によって区切られた居室内の第１領域（１２）および第２領域（１１）を備え、第１棚部（１４）は、正面視において視線を遮る隠蔽部分と、反対側を視認可能な透視部分を有する住宅。【選択図】図１
2020139280.tif 000002
【特許請求の範囲】
【請求項１】
居室内に設けられた第１棚部と、
前記第１棚部によって区切られた前記居室内の第１領域および第２領域を備え、
前記第１棚部は、正面視において視線を遮る隠蔽部分と、反対側を視認可能な透視部分を有することを特徴とする住宅。
【請求項２】
請求項１に記載の住宅であって、
前記透視部分には、視線を遮る隠蔽部材を保持する隠蔽部材保持部が設けられていることを特徴とする住宅。
【請求項３】
請求項１または２に記載の住宅であって、
前記第１領域は、玄関であることを特徴とする住宅。
【請求項４】
請求項３に記載の住宅であって、
前記隠蔽部分は、前記玄関のドアに対向して設けられていることを特徴とする住宅。
【請求項５】
請求項１から４の何れか一つに記載の住宅であって、
前記第２領域はリビングルームであることを特徴とする住宅。
【請求項６】
請求項５に記載の住宅であって、
前記居室内には、前記第１棚部と平行に第２棚部が設けられており、
前記第２棚部によって、前記第２領域は第３領域と区切られていることを特徴とする住宅。
【請求項７】
請求項１から６の何れか一つに記載の住宅であって、
前記居室の天井には梁部が露出して設けられており、前記第１棚部と前記梁部とは平行に設けられていることを特徴とする住宅。
【発明の詳細な説明】
【技術分野】
【０００１】
本発明は、住宅に関し、特に棚を用いて居室空間を仕切る住宅に関する。
【背景技術】
【０００２】
従来から、住宅の居室を仕切るための壁面の代わりに、可動式の棚やクローゼットで居室を分割して利用する間取りが提案されている（例えば、特許文献１，２を参照）。これらの従来技術では、住宅内に比較的大きな面積の居室を設けておき、家族構成の変化や居室の利用形態の変化に応じて、棚やクローゼットを配置する位置を変更することで居室内の空間を区分している。
【０００３】
このような従来技術では、区分された空間で利用者が各々生活することを目的としており、仕切りとして用いる棚やクローゼットのサイズを大きくすることで、視線の遮断や生活音の漏洩防止をしてプライバシーの確保を図る必要があった。
【先行技術文献】
【特許文献】
【０００４】
【特許文献１】特開平０９−１６５９２７号公報
【特許文献２】特開２００２−１７４０３９号公報
【発明の概要】
【発明が解決しようとする課題】
【０００５】
しかし、これらの従来技術では居室を区切ることを目的としているため、大面積の居室を小区画に完全に分割してしまい、空間の連続性や開放感を損なってしまうという問題があった。また、居室の利用形態によっては、それぞれの空間を明確に区別しながらも、大面積の居室における空間の連続性や開放感を確保したいという要求が存在する。
【０００６】
そこで本発明は、上記従来の問題点に鑑みなされたものであり、大面積の居室を適切に区分しつつ空間の連続性や開放感を得ることが可能な住宅を提供することを目的とする。
【課題を解決するための手段】
【０００７】
上記課題を解決するために、本発明の住宅は、居室内に設けられた第１棚部と、前記第１棚部によって区切られた前記居室内の第１領域および第２領域を備え、前記第１棚部は、正面視において視線を遮る隠蔽部分と、反対側を視認可能な透視部分を有することを特徴とする。
【０００８】
このような本発明の住宅では、第１棚部で居室を第１領域と第２領域に区切り、第１棚部には隠蔽部分と透視部分が設けられているので、大面積の居室内において隣り合う領域を適切に区分しつつ、部分的に隣の空間を視認することができ、空間の連続性や開放感を得ることが可能となる。
【０００９】
また本発明の一態様では、前記透視部分には、視線を遮る隠蔽部材を保持する隠蔽部材保持部が設けられている。
【００１０】
また本発明の一態様では、前記第１領域は、玄関である。
【００１１】
また本発明の一態様では、前記隠蔽部分は、前記玄関のドアに対向して設けられている。
【００１２】
また本発明の一態様では、前記第２領域はリビングルームである。
【００１３】
また本発明の一態様では、前記居室内には、前記第１棚部と平行に第２棚部が設けられており、前記第２棚部によって、前記第２領域は第３領域と区切られている。
【００１４】
また本発明の一態様では、前記居室の天井には梁部が露出して設けられており、前記第１棚部と前記梁部とは平行に設けられている。
【発明の効果】
【００１５】
本発明では、大面積の居室を適切に区分しつつ空間の連続性や開放感を得ることが可能な住宅を提供することができる。
【図面の簡単な説明】
【００１６】
【図１】第１実施形態における住宅の一階部分を模式的に示す平面図である。
【図２】玄関１２内からの居室の見え方を模式的に示す図である。
【図３】リビングルーム１１内からの居室の見え方を模式的に示す図である。
【図４】第１棚部１４の一例を示す正面図である。
【図５】リビングルーム１１内から階段１６および第２棚部１７の見え方を模式的に示す図である。
【発明を実施するための形態】
【００１７】
（第１実施形態）
以下、本発明の実施の形態について、図面を参照して詳細に説明する。各図面に示される同一または同等の構成要素、部材、処理には、同一の符号を付すものとし、適宜重複した説明は省略する。図１は、本実施形態における住宅の一階部分を模式的に示す平面図である。
【００１８】
図１に示すように、本実施形態の住宅は一階にリビングルーム１１と、玄関１２と、ドア１３と、第１棚部１４と、ステップフロア１５と、階段１６と、第２棚部１７と、通路部１８を備えている。また、リビングルーム１１、玄関１２、ステップフロア１５および通路部１８はそれぞれの空間が壁によって仕切られず連通しており、本実施形態における居室を構成している。図１では居室内の中央にリビングルーム１１が配置された例を示しているが、ダイニングルームやキッチン、書斎等であってもよい。
【００１９】
リビングルーム１１は、居室内において玄関１２とステップフロア１５の間に位置し、ソファやテーブル等の家具が配置された居室空間である。リビングルーム１１と玄関１２との間には第１棚部１４が配置されており、第１棚部１４を区切りとして二つの空間の用途が区分される。
【００２０】
玄関１２は、住宅の一階部分への入り口に設けられた空間であり、公知の玄関土間と玄関ホールを備えている。また、玄関１２の壁にはドア１３が設けられている。玄関１２の構造は特に限定されないが、玄関ホールはリビングルーム１１と床レベルや天井高さ等が同一であることが好ましい。さらに、玄関ホールとリビングルーム１１の床や天井、壁紙等の仕上げを共通とすることが好ましい。これらにより、玄関１２とリビングルーム１１の境界が曖昧になり、空間の連続性と開放感を高めることができる。
【００２１】
ドア１３は、玄関１２の壁における第１棚部１４と対向する位置に設けられた住宅の入り口である。ドア１３の構造や間口の大きさは限定されず、引き戸や片開き、両開きなどであってよい。
【００２２】
第１棚部１４は、リビングルーム１１と玄関１２との間に配置された棚であり、両空間を区切っている。第１棚部１４の具体的な構造については後述するが、棚の一部には視線を遮る隠蔽部分と、反対側を視認可能な透視部分が設けられている。
【００２３】
ステップフロア１５は、リビングルーム１１と通路部１８の間に位置し、リビングルーム１１の床レベルよりも高い床を有する領域である。ステップフロア１５とリビングルーム１１の間には、カウンターテーブル等の家具を配置して空間を区切るとしてもよく、家具等を配置せずリビングルーム１１の一部分をステップフロアとして構成してもよい。また、図１ではリビングルーム１１と通路部１８との間にステップフロア１５を設けた例を示したが、ステップフロア１５を設けず居室内の床レベルを同一にするとしてもよい。
【００２４】
階段１６は、ステップフロア１５内で第２棚部１７に隣接して配置された階段であり、住宅の一階部分と二階部分との間で移動を可能にしている。図１では階段１６として直階段を設けた例を示しているが、形状や構造は限定されずかね折れ階段や折り返し階段、螺旋階段等を用いてもよい。また、階段１６の配置は限定されず、リビングルーム１１やステップフロア１５内に階段１６を設けないとしてもよい。
【００２５】
第２棚部１７は、ステップフロア１５と通路部１８との間に配置された棚であり、両空間を区切っている。第２棚部１７の具体的な構造は限定されないが、第１棚部１４と同様に棚の一部に視線を遮る隠蔽部分と、反対側を視認可能な透視部分が設けられていることが好ましい。
【００２６】
通路部１８は、ステップフロア１５に隣接する位置に設けられた空間であり、居室の壁との間で歩行可能な通路を構成している。通路部１８とステップフロア１５との間には第２棚部１７が配置されており、第２棚部１７を区切りとして二つの空間の用途が区分される。また、通路部１８はリビングルーム１１と床レベルや天井高さ等が同一であることが好ましい。さらに、通路部１８とリビングルーム１１の床や天井、壁紙等の仕上げを共通とすることが好ましい。これらにより、通路部１８とリビングルーム１１の境界が曖昧になり、空間の連続性と開放感を高めることができる。
【００２７】
図１に示したように、居室内で第１棚部１４と第２棚部１７は平行に配置されており、これらによって区切られた玄関１２、リビングルーム１１および通路部１８は、それぞれ本発明における第１領域、第２領域および第３領域に相当している。また、玄関１２、リビングルーム１１および通路部１８は、第１棚部１４と第２棚部１７で平行に区切られており、居室全体が各領域にレイヤー状に区分されている。
【００２８】
図２は、玄関１２内からの居室の見え方を模式的に示す図である。図３は、リビングルーム１１内からの居室の見え方を模式的に示す図である。図４は、第１棚部１４の一例を示す正面図である。
【００２９】
図２，図３に示すように、玄関１２内ではドア１３と第１棚部１４とが対向して配置されており、天井１９には複数の梁部２０が露出している。天井１９は、居室を構成しているリビングルーム１１、玄関１２、ステップフロア１５および通路部１８に共通の天井である。梁部２０は、天井１９に露出して設けられた化粧梁であり、住宅の構造部分である。天井１９および梁部２０の具体的な構造やサイズは限定されない。
【００３０】
また、梁部２０は第１棚部１４および第２棚部１７と平行な方向に延伸して設けられている。これにより、居室内における各領域のレイヤー状の配置と、梁部２０の配列方向とが一致し、居室の区分を明確にすると同時に各領域の一体感や連続性を高めることができる。
【００３１】
図４に示すように第１棚部１４は、側板１４１と、棚板１４２と、棚柱１４３と、方立１４４と、透視部分１４５と、隠蔽部分１４６を備えている。また、図２，３に示したように、第１棚部１４はリビングルーム１１の床から天井１９まで設けられている。
【００３２】
側板１４１は、第１棚部１４の両側に設けられて棚板１４２を保持する部材である。棚板１４２は、側板１４１の間に架橋された複数の平板状部材である。棚柱１４３は、棚板１４２の間に配置された柱である。方立１４４は、棚板１４２の間に配置されて棚板１４２の横方向を区切る板である。
【００３３】
透視部分１４５は、棚板１４２の間に設けられた反対側を視認可能な領域である。透視部分１４５にはガラスや樹脂等の透明部材を配置するとしてもよく、棚板１４２間に何も配置せずに空洞で構成してもよい。隠蔽部分１４６は、棚板１４２の延伸方向に沿って上下の棚板１４２間に配置された非透明な部材である。隠蔽部分１４６の構造は限定されないが、例えば第１棚部１４の高さ方向に立設された板状の部材を用いることができる。
【００３４】
図２，図３に示したように、玄関１２とリビングルーム１１との間には第１棚部１４が配置されているため、居住者には両空間の境界が明確に意識される。その一方で、居住者は玄関１２から第１棚部１４の透視部分１４５を介して部分的にリビングルーム１１内を視認可能であるため、リビングルーム１１と玄関１２との空間の連続性も認識でき、視線の届く距離も長くなる。また、玄関ホールからリビングルーム１１の間には壁やドア等の構造物が設けられていないため、一連の連通した空間であるとの印象を与えることができる。
【００３５】
また、第１棚部１４の透視部分１４５は視線を透過するため、玄関１２からは透視部分１４５を介してリビングルーム１１を視認できる。同時に、第１棚部１４の隠蔽部分１４６は視線を遮るため、玄関１２からリビングルーム１１全体を見渡すことはできず、一部は隠蔽される。したがって、玄関１２からは第１棚部１４越しにリビングルーム１１を部分的に視認可能となっている。同様に、リビングルーム１１からも第１棚部１４越しに玄関１２を部分的に視認可能となっている。
【００３６】
このように第１棚部１４の透視部分１４５と隠蔽部分１４６の配置によって、玄関１２からリビングルーム１１を視認できる範囲を限定し、リビングルーム１１の見え方を調整することができる。リビングルーム１１では、居住者が日常生活を営む領域にソファやテーブル等の家具が配置されているため、この領域に対する視線を遮るように隠蔽部分１４６を設ける。具体的例としては、ドア１３に対向する位置に隠蔽部分１４６を設ける。
【００３７】
通常、訪問者はドア１３を利用して住宅外から玄関１２に入るため、ドア１３に対向する位置に隠蔽部分１４６が設けられていると、ドア１３を入って正面には隠蔽部分１４６がありリビングルーム１１の中央付近を見渡すことができない。したがって、リビングルーム１１内で日常生活を営む領域を訪問者から隠すことができ、リビングルーム１１内でのプライバシーを確保することができる。
【００３８】
また、透視部分１４５は棚板１４２や棚柱１４３、方立１４４等で区切られた領域であり、日用雑貨や仕切板、収納ボックス等の視線を遮る隠蔽部材を配置することが可能である。透視部分１４５内に隠蔽部材を配置することで、必要に応じて透視部分１４５を隠蔽部分１４６に切り替え、視認できる範囲をフレキシブルに変更することができる。
【００３９】
具体的な隠蔽部材の配置例としては、棚板１４２上に収納ボックスを配置することや、棚板１４２の下面に容器や日用雑貨を吊下げること、棚柱１４３や方立１４４に固定部材や治具を用いて仕切板を固定すること等が挙げられる。ここで、棚板１４２、棚柱１４３および方立１４４は、隠蔽部材を保持するための隠蔽部材保持部として機能している。
【００４０】
図５は、リビングルーム１１内から階段１６および第２棚部１７の見え方を模式的に示す図である。図５に示すように、リビングルーム１１とステップフロア１５との間には壁等の構造が設けられていないため、リビングルーム１１からは階段１６および第２棚部１７を直接視認することができる。ここで、第２棚部１７は第１棚部１４と同様に透視部分１４５と隠蔽部分１４６を備える構造であるため、リビングルーム１１とステップフロア１５から第２棚部１７を介して通路部１８を部分的に視認することができる。同様に、通路部１８からも第２棚部１７を介してリビングルーム１１とステップフロア１５を部分的に視認可能となっている。
【００４１】
したがって、リビングルーム１１と通路部１８の間に配置された第２棚部１７によって両空間の境界が明確に意識される。また、居住者はリビングルーム１１から第２棚部１７の透視部分１４５を介して部分的に通路部１８内を視認可能であるため、リビングルーム１１と通路部１８との空間の連続性も認識でき、視線の届く距離も長くなる。また、リビングルーム１１と通路部１８の間には壁やドア等の構造物が設けられていないため、一連の連通した空間であるとの印象を与えることができる。
【００４２】
上述したように本実施形態の住宅では、第１棚部１４および第２棚部１７を用いて居室を第１領域から第３領域である玄関１２とリビングルーム１１と通路部１８に区切っている。これにより、透視部分１４５と隠蔽部分１４６によって視認範囲を限定でき、大面積の居室を適切に区分しつつ空間の連続性や開放感を得ることが可能である。
【００４３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４４】
１１…リビングルーム
１２…玄関
１３…ドア
１４…第１棚部
１５…ステップフロア
１６…階段
１７…第２棚部
１８…通路部
１９…天井
２０…梁部
１４１…側板
１４２…棚板
１４３…棚柱
１４４…方立
１４５…透視部分
１４６…隠蔽部分
【図１】
2020139280.tif 000003
【図２】
2020139280.tif 000004
【図３】
2020139280.tif 000005
【図４】
2020139280.tif 000006
【図５】
2020139280.tif 000007